(57)【要約】【課題】本発明はセルフサービス方式で燃料を給液した後の釣り銭を受け取ることを忘れてしまうことを課題とする。【解決手段】給液システム１０は、給液エリア１２に設置された釣り銭機１４と、複数の燃料供給装置１６（１６１〜１６ｎ）と、事務所１８内に設置されたＰＯＳ本体２０と、ＰＯＳ本体２０に接続された記憶装置２２とを有する。燃料供給装置１６は、計量機２４と、計量機２４に搭載された設定器２６と、料金をその場で精算するための自動支払機２８とを有する。また、釣り銭器１４及び複数の燃料供給装置１６（１６１〜１６ｎ）は、通信回線３０を介してＰＯＳ本体２０と接続されている。燃料供給装置１６の制御回路６６は、自動支払機に入金された入金金額、給液量に応じた給液金額、及び釣り銭額を表示し、給液終了後に確認釦が操作されると、燃料の供給量に対応する情報が記載されたレシート（伝票）を発行する。【選択図】    図１
2004175392.tif 000002
【特許請求の範囲】
【請求項１】
貨幣を予め入金する入金機と、
供給すべき燃料の種類を被供給体への燃料の供給に先立って設定するための設定器と、
前記入金機に入金された入金金額、及び前記設定器に設定された設定情報に基づき、前記被供給体に燃料を供給する燃料供給手段と、
前記入金機に入金された入金金額、該燃料供給手段により前記被供給体に供給された燃料の供給量に対応した燃料供給金額、及び釣り銭額を表示する表示手段と、
該表示手段により表示された給液情報が合っている場合に操作される操作部と、
給液終了後に前記操作部が操作されると、前記燃料供給手段より供給された燃料の供給量に対応する情報が記載された伝票を発行する伝票発行手段と、
を備えたことを特徴とする燃料供給装置。
【請求項２】
前記伝票発行手段は、前記釣り銭額を除いた情報が記載された伝票を発行することを特徴とする請求項１記載の燃料供給装置。
【発明の詳細な説明】
【０００１】
【発明の属する技術分野】
本発明は燃料供給装置に係り、特に車両の燃料タンク（被供給体）に顧客（運転者）自身が燃料供給操作を行うセルフサービス方式の燃料供給装置に関する。
【０００２】
【従来の技術】
例えば、ガソリンや軽油等の油液を車両の燃料タンクに供給する燃料供給システムを例に挙げて以下説明する。
【０００３】
セルフサービス方式の燃料供給装置が設置された給液所等では、顧客（運転者）自身が給液量の設定、給液作業、給液料金の精算を行うようになっている。そのため、顧客（運転者）は、給液料金の精算方法を指定した後、給液を行う前に設定器のスイッチ操作により所定の油種、給液量または給液金額などの入力を行うようになっている。給液料金の精算方法としては、現金で支払う方法、プリペイドカードやクレジットカードで支払う方法等がある。
【０００４】
そして、セルフサービス方式の燃料供給装置では、例えば、現金支払いの場合、
現金支払い機に紙幣を入金すると、入金金額と伝票番号（バーコード）とが印字された仮伝票が発行される。顧客（運転者）は、この仮伝票を受け取ると、空いている計量機の前へ車両を移動させる。続いて、仮伝票を計量機に設けられたバーコード読み取り機に挿入して伝票番号（バーコード）を読み取らせる。
【０００５】
次に顧客（運転者）は、設定器の各種操作釦を押圧操作して給液方法（プリセット給液または満タン給液）、油種、給液量または給液金額の設定を行う。そして、給液を開始すると、給液量が流量計によって計測されて、流量表示器に表示される数値が更新される。
【０００６】
このようにして車両への給液が終了すると、顧客（運転者）は、釣り銭がある場合には仮伝票を持って釣り銭機の前に移動する。そして、釣り銭機のバーコード読み取り機に仮伝票を挿入して伝票番号（バーコード）を読み取らせる。釣り銭機では、伝票番号に対応する釣り銭情報をＰＯＳ本体から読み込んで釣り銭を排出する。その後、釣り銭機は、プリンタから給液量、給液金額が印字された伝票（レシート）を発行する（例えば、特許文献１参照）。
【０００７】
【特許文献１】
特開平４−５７７９４号公報。
【０００８】
【発明が解決しようとする課題】
しかしながら、上記のように構成された従来の燃料供給装置においては、顧客（運転者）は車両への給液が終了した際に釣り銭があるか否かが分からず、釣り銭を受け取らずに給液所を出発してしまう場合がある。
【０００９】
特に、プリセット給液を行っている給液途中において、給液ノズルの液面検知機構により液面検知されて自動閉弁機構が作動した場合には、予め設定されたプリセット金額に対応する設定量が全て給液されていないのに、顧客（運転者）は、プリセット値（設定量）が給液されたものと勘違いしてしまうおそれがある。
【００１０】
その場合、顧客（運転者）は、設定器によりプリセット金額が設定されているため、釣り銭が無いものとして釣り銭を受け取らずに釣り銭機を通過してしまうという問題があった。
【００１１】
また、給液終了時に発行される伝票に釣り銭のある旨を印字出力することも考えられるが、この場合には、顧客は釣り銭を受領していないにもかかわらず釣り銭が印字されている伝票を受け取ることとなり、不都合である。
【００１２】
そこで、本発明は上記課題を解決した燃料供給装置を提供することを目的とする。
【００１３】
【課題を解決するための手段】
本発明は上記課題を解決するため、以下のような特徴を有する。
上記請求項１記載の発明は、貨幣を予め入金する入金機と、供給すべき燃料の種類を被供給体への燃料の供給に先立って設定するための設定器と、入金機に入金された入金金額、及び設定器に設定された設定情報に基づき、被供給体に燃料を供給する燃料供給手段と、入金機に入金された入金金額、燃料供給手段により被供給体に供給された燃料の供給量に対応した燃料供給金額、及び釣り銭額を表示する表示手段と、表示手段により表示された給液情報が合っている場合に操作される操作部と、給液終了後に操作部が操作されると、燃料供給手段より供給された燃料の供給量に対応する情報が記載された伝票を発行する伝票発行手段と、を備えたものであり、燃料供給が終了した時点で表示手段により釣り銭額が表示されて釣り銭の有無をその場で確認でき、釣り銭があるのに釣り銭を受け取らないといった不都合を解消することが可能になる。
【００１４】
上記請求項２記載の発明は、伝票発行手段が、釣り銭額を除いた情報が記載された伝票を発行するため、釣り銭を受け取っていないのに釣り銭をあたかも受け取り済みであるような給液伝票が発行されないので、伝票を受け取った顧客（運転者）が釣り銭を受け取ったものと勘違いしてしまうようなことを防止できる。
【００１５】
【発明の実施の形態】
以下、図面と共に本発明の実施の形態について説明する。
図１は本発明になる燃料供給装置の一実施例が適用された給液システムの構成図である。
図１に示されるように、給液システム１０は、給液エリア１２に設置された釣り銭機１４と、複数の燃料供給装置１６（１６１〜１６ｎ）と、事務所１８内に設置されたＰＯＳ本体２０と、ＰＯＳ本体２０に接続された記憶装置２２とを有する。釣り銭機１４は、釣り銭を支払うための装置であり、係員の釣り銭補充作業を容易にするため、事務所の近傍に設けられている。
【００１６】
燃料供給装置１６は、セルフサービス給液方式の計量機２４と、計量機２４に搭載された設定器２６と、料金をその場で精算するための自動支払機（入金機）２８とを有する。また、釣り銭機１４及び複数の燃料供給装置１６（１６１〜１６ｎ）は、通信回線（例えば、ＳＳ−ＬＡＮ）３０を介してＰＯＳ本体２０と接続されている。
【００１７】
また、給液エリア１２には、燃料供給装置１６（１６１〜１６ｎ）の周辺を監視するための監視カメラ３２１〜３２ｎが設けられている。監視カメラ３２１〜３２ｎは、カメラ分割ユニット３４に接続されており、監視カメラ３２１〜３２ｎにより撮像された画像はカメラ分割ユニット３４を介して監視モニタ３６に転送される。監視モニタ３６は、監視カメラ３２１〜３２ｎにより撮像された複数の画像を同時に分割表示する。
【００１８】
図２は燃料供給装置１６の正面図である。
図２に示されるように、燃料供給装置１６は、セルフサービス方式の計量機２４からなり、設定操作部３８と、設定操作部３８の両側に起立する支柱４０，４２と、上部に横架されたホース支持部４４とを有する。
【００１９】
計量機２４の内部には、後述する各給液系統の電磁弁と、給液ポンプと、流量計などの各機器が設けられている。
【００２０】
設定操作部３８には、静電気除去シート４６と、静電気除去シート４６の右側に配置された設定器２６と、自動支払機（入金機）２８と、インタホン４８とが設けられている。設定器２６は、液晶モニタなどからなるタッチパネル（表示部）４９を有し、タッチパネル４９に表示された設定入力画面に触れることで油種（軽油、レギュラーガソリン、ハイオクガソリン）を選択、給液量の入力操作などを行える。また、設定器２６の上方に配置されて人検知センサ５０が設けられており、人検知センサ５０がオンになると、顧客が設定器２６の前にいるものと判断して、設定器２６に設定入力画面が表示される。
【００２１】
また、人検知センサ５０としては、例えば、光センサあるいはイメージセンサなどを用いたものであり、給液操作を行う操作者が設定器２６の前に立ったことを検知してその検知信号を出力する。
【００２２】
自動支払機２８は、紙幣挿入部５２と、カード挿入部５４と、レシート発行部５６とを有する。紙幣挿入部５２は、挿入された紙幣の種別（千円札、２千円札、５千円札、一万円札）を鑑別する鑑別機能を有しており、顧客が挿入した紙幣の金額を設定器２６に表示させる。
【００２３】
カード挿入部５４は、給液所が発行したプリペイドカード、あるいはクレジットカードを挿入されると、カードに記憶された情報を読み取り、給液が可能かどうかを設定器２６に表示させる。
【００２４】
レシート発行部（伝票発行手段）５６は、給液が終了すると、液種、給液量、給液金額、消費税、合計金額などの給液情報を記載したレシート（伝票）を発行する。すなわち、レシート発行部５６は、釣り銭額を除いた情報が記載されたレシートを発行する。
【００２５】
また、計量機２４の前面パネル５８には、給液ノズル６０を掛止するノズル掛け６２が３箇所に設けられている。給液ノズル６０は、ホース支持部４４から吊り下げられた給液ホース６４が連通接続されている。
【００２６】
図３は燃料供給装置１６の各機器の構成を示すブロック図である。
図３に示されるように、燃料供給装置１６の制御回路（制御手段）６６には、各給液経路に設けられた電磁弁６８、給液ポンプ７０、流量計７２、メモリ８０と、人検知センサ５０、ノズル掛け６２に設けられたノズルスイッチ７４、自動支払機２８に設けられた紙幣鑑別部７６、設定器２６、カード挿入部５２に設けられたカードＲ／Ｗ７８、インタホン４８と、レシート発行部５６に設けられたプリンタ８２と接続されている。
【００２７】
メモリ８０には、入金機に入金された入金金額、燃料供給手段により被供給体に供給された燃料の供給量に対応した燃料供給金額、及び釣り銭額を表示する制御プログラム（表示手段）と、給液終了後に操作部が操作されると、燃料の供給量に対応する情報が記載されたレシート（伝票）を発行する制御プログラム（伝票発行手段）とが記憶されている。
【００２８】
図４は設定器２６のタッチパネル４９に表示される給液開始画面の一例を示す図である。
図４に示されるように、給液開始画面８４は、給液量の表示領域８４ａにゼロＬ（リットル）を表示し、税込金額の表示領域８４ｂにゼロ円を表示する。さらに、給液開始画面８４では、支払方法の表示領域８４ｃに現金、入金金額の表示領域８４ｄに入金された金額（例えば、５０００円）、液種の表示領域８４ｅに予め設定された液種（例えば、レギュラー）及び単価（例えば、９５円）、給液方法の表示領域８４ｆに予め設定された給液方法（プリセット給液または満タン給液）、釣り銭額の表示領域８４ｇに現在の給液金額に対応した釣り銭額が表示される。
【００２９】
制御回路６６は、給液が開始されて流量計７２から流量パルスが出力されると、流量パルスの積算値から求まる給液量に応じた給液金額の値を逐次更新すると共に、給液量の表示領域８４ａに給液量を表示する。
【００３０】
図５は設定器２６のタッチパネル４９に表示される給液終了画面の一例を示す図である。
図５に示されるように、給液終了画面８６は、給液量の表示領域８６ａに３０Ｌ（リットル）を表示し、税込金額の表示領域８６ａに２９９３円を表示する。さらに、給液終了画面８６では、支払方法の表示領域８６ｃに現金、入金金額の表示領域８６ｄに入金された金額（例えば、５０００円）、液種の表示領域８６ｅに予め設定された液種（例えば、レギュラー）及び単価（例えば、９５円）、給液方法の表示領域８６ｅに予め設定された給液方法（プリセット給液または満タン給液）、釣り銭額の表示領域８４ｆに２００７円が表示される。また、表示領域８４ｆの下方には、確認釦（操作部）８８が表示される。
【００３１】
このように、給液終了画面８６では、入金金額（５千円）から給液量に対応する給液金額と消費税の合計（２９９３円）を減算した釣り銭額（２００７円）が表示されるので、顧客（運転者）は釣り銭額をその場で確認することができる。そのため、給液終了後に釣り銭機１４へ移動して釣り銭を受けることができ、釣り銭を忘れることが防止される。
【００３２】
さらに、プリセット給液を行っている給液途中において、給液ノズル６０の液面検知機構（図示せず）により液面検知されて自動閉弁機構（図示せず）が作動した場合でも、プリセット値（設定量）が給液されていないので、顧客（運転者）は、釣り銭があることを確認できる。
【００３３】
図６は給液終了後に確認釦８８がオンに操作された場合に発行されるレシートの印字例を示す図である。
図６に示されるように、給液終了後、確認釦８８がオンに操作されると、レシート発行部５６のプリンタ８２からレシート９０が発行される。
【００３４】
レシート９０には、店名９０ａ、電話番号９０ｂ、発行年月日・時間９０ｃ、伝票番号９０ｄ、給液された液種９０ｅ、単価９０ｆ、給液金額９０ｇ、消費税９０ｈ、合計９０ｉ、釣り銭の受け取りメッセージ９０ｊ、伝票番号を識別するためのバーコード９０ｋなどが印字される。
【００３５】
また、レシート９０には、釣り銭額が記載されていないので、伝票を受け取った顧客（運転者）が釣り銭を受け取ったものと勘違いしてしまうようなことを防止できる。すなわち、釣り銭を受け取っていないのに釣り銭をあたかも受け取り済みであるような給液伝票の発行が防止される。
【００３６】
ここで、燃料供給装置１６の制御回路６６が実行する制御処理について図７を参照して説明する。
【００３７】
図７に示されるように、制御回路６６は、ステップＳ１１（以下「ステップ」を省略する）において、自動支払機２８に紙幣が挿入されたかどうかをチェックする。Ｓ１１で自動支払機２８に紙幣が挿入されると、Ｓ１２に進み、挿入された紙幣の種別（金額）が紙幣鑑別部７６で鑑別され、その結果、タッチパネル４９に入金金額を表示する（図４参照）。
【００３８】
次のＳ１３では、ノズル掛け６２に設けられたノズルスイッチ７４がオフかどうかをチェックする。Ｓ１３において、ノズルスイッチ７４がオフになると、ノズル掛け６２から給液ノズル６０が外されて車両（図示せず）の給液口に挿入されたものと判断し、Ｓ１４に進む。Ｓ１４では、ＰＯＳ本体２０に対して給液要求信号を出力する。
【００３９】
続いて、Ｓ１５では、ＰＯＳ本体２０から給液許可信号が入力されたかどうかをチェックする。Ｓ１５において、係員が当該燃料供給装置１６に対する給液許可釦（図示せず）をオンに操作してＰＯＳ本体２０から給液許可信号が入力されると、Ｓ１６に進み、電磁弁６８を開弁させると共に、給液ポンプ７０に駆動信号を出力する。
【００４０】
顧客（運転者）が給液ノズル６０のノズルレバー（図示せず）を開弁位置に操作すると、車両の燃料タンクに給液開始される。そして、当該燃料供給装置１６の流量計７２が給液量に応じた流量パルスを出力すると、流量パルスを積算して積算流量（給液量）を算出すると共に、Ｓ１７で実給液量、給液金額、液種単価をタッチパネル４９に表示する（図５参照）。
【００４１】
次のＳ１８では、ノズル掛け６２に設けられたノズルスイッチ７４がオンかどうかをチェックする。Ｓ１８において、ノズルスイッチ７４がオンになると、ノズル掛け６２に給液ノズル６０が戻されて当該車両（図示せず）への給液が終了したものと判断し、Ｓ１９に進む。Ｓ１９では、給液ポンプ７０へ出力されていた駆動信号の出力を停止する。
【００４２】
Ｓ２０では、入金額及び実給液データ（給液量、給液金額、消費税を含む）を釣り銭機１４へ出力する。次のＳ２１でＰＯＳ本体２０から釣り銭額及び伝票番号が入力されたかどうかをチェックする。
【００４３】
Ｓ２１において、ＰＯＳ本体２０から釣り銭額及び伝票番号が入力されると、Ｓ２２に進み、入金額、給液金額、釣り銭額をタッチパネル４９に表示する（図５参照）。このように、給液中は、入金額、給液金額、釣り銭額をタッチパネル４９に表示するため、釣り銭の有無をその場で確認でき、釣り銭があるのに釣り銭を受け取らないといった不都合を解消することが可能になる。
【００４４】
続いて、Ｓ２３では、タッチパネル４９に表示された確認釦８８がオンに操作されたかどうかをチェックする。Ｓ２３において、タッチパネル４９に表示された確認釦８８がオンに操作されると、Ｓ２４に進み、全給液情報を釣り銭機１４及びＰＯＳ本体２０へ出力する。
【００４５】
その後、Ｓ２５では、レシート発行部５６のプリンタ８２から実給液情報（少なくとも単価、給液量、給液金額、消費税）及び伝票番号が印字されたレシート９０を発行させる（図６参照）。
【００４６】
ここで、ＰＯＳ本体２０が実行する制御処理について図８を参照して説明する。
図８に示されるように、ＰＯＳ本体２０は、Ｓ３１において、燃料供給装置１６から入金額及び実給液データが入力されたかどうかをチェックする。Ｓ３１において、入金額及び実給液データが入力されないときは、Ｓ３２に進み、伝票番号が入力されたかどうかをチェックする。
【００４７】
Ｓ３２において、伝票番号が入力されないときは、Ｓ３３に進み、釣り銭支払い済みかどうかをチェックする。Ｓ３３において、釣り銭支払い済みでないときは、Ｓ３４に進み、給液要求信号が入力されたかどうかをチェックする。Ｓ３３において、給液要求信号が入力されないときは、Ｓ４１に進み、給液許可の指示が入力されたかどうかをチェックする。Ｓ４１において、給液許可の指示が入力されないときは、上記Ｓ３１に戻る。
【００４８】
また、上記Ｓ３１において、入金額及び実給液データが入力されたときは、Ｓ３５に進み、釣り銭額を演算する。続いて、Ｓ３６に進み、釣り銭額及び伝票番号を含む給液情報を記憶装置２２に記憶する。
【００４９】
次のＳ３７では、釣り銭額及び伝票番号を燃料供給装置１６に出力する。
【００５０】
また、上記Ｓ３２において、伝票番号が入力されたときは、Ｓ３８に進み、伝票番号に対応する釣り銭額を燃料供給装置１６に出力する。
【００５１】
また、上記Ｓ３３において、釣り銭支払い済みのときは、Ｓ３９に進み、伝票番号に対応する釣り銭額を支払い済みとして記憶装置２２に記憶する。
【００５２】
また、上記Ｓ３４において、給液要求信号が入力されたときは、Ｓ４０に進み、給液待ちを表示する。
【００５３】
また、Ｓ４１において、給液許可の指示が入力されたときは、Ｓ４２に進み、給液許可信号を燃料供給装置１６に出力する。続いて、Ｓ４３に進み、給液待ち表示を消去する。これで、ＰＯＳ本体２０の処理は終了する。
【００５４】
ここで、釣り銭機１４が実行する制御処理について図９を参照して説明する。
図９に示されるように、レシート９０が釣り銭機１４のバーコード読み取り機（図示せず）に挿入されると、釣り銭機１４は、Ｓ５１でレシート９０に印字されたバーコード９０ｋを読み取ったかどうかをチェックする。Ｓ５１において、バーコード９０ｋのパターンを読み取ると、バーコード９０ｋのパターンに対応する伝票番号をＰＯＳ本体２０に出力する。
【００５５】
次のＳ５３では、ＰＯＳ本体２０から伝票番号に対応する釣り銭額が入力されたかどうかをチェックする。Ｓ５３において、釣り銭額が入力されると、Ｓ５４に進み、釣り銭を排出する。
【００５６】
続いて、Ｓ５５に進み、伝票番号に対する釣り銭支払い済みをＰＯＳ本体２０に出力する。
【００５７】
このように、顧客（運転者）は、給液終了後に燃料供給装置１６で発行されたレシート９０に釣り銭を受け取るようにメッセージが記載されているので、釣り銭を受けることを忘れずに済み、レシート９０を釣り銭機１４のバーコード読み取り機（図示せず）に挿入することにより、釣り銭を受けることができる。
【００５８】
ここで、変形例について図１０を参照して説明する。尚、図１０において、前述した
図１０に示されるように、燃料供給装置１６の制御回路６６は、Ｓ１１で自動支払機２８に紙幣が挿入されると、Ｓ１２に進み、挿入された紙幣の種別（金額）が紙幣鑑別部７６で鑑別され、その結果、タッチパネル４９に入金金額を表示する（図４参照）。その後、Ｓ１２ａに進み、レシート発行部５６のプリンタ８２から入金金額及び伝票番号が印字された預り証を発行する。
【００５９】
この後のＳ１３〜Ｓ２５の処理の説明は、図７で説明した同一ステップと同一内容であるので、その説明を省略する。
【００６０】
Ｓ２３において、タッチパネル４９に表示された確認釦８８がオンに操作されないときは、Ｓ２３ａに進み、予め設定された所定時間が経過したかどうかをチェックする。Ｓ２３ａにおいて、所定時間が経過していないときは、上記Ｓ２３に戻る。
【００６１】
また、Ｓ２３ａにおいて、タッチパネル４９に表示された確認釦８８がオンに操作されないまま所定時間が経過したときは、顧客がレシート不用と判断したため、Ｓ２５の実給液情報が記載されたレシートの発行処理を行わずにＳ２４ａに進み、全給液情報を釣り銭機１４及びＰＯＳ本体２０へ出力する。
【００６２】
そして、Ｓ２５またはＳ２４ａの処理の後は、Ｓ２６に進み、タッチパネル４９の表示を消去する。
【００６３】
このように、図１０に示す変形例では、入金直後にＳ１２ａで入金金額及び伝票番号が印字された預り証を発行するため、例えば、入金後に給液を取り止めた場合に預り証を釣り銭機１４に読み込ませることで入金額を釣り銭として返金することが可能になる。
【００６４】
また、レシート発行部５６は、預り証を発行した後、顧客が預り証を取らないでいると、Ｓ２５で実給液情報が記載されたレシートの発行されるため、預り証とレシートとが連続して印字された１枚の伝票として発行される。その場合、預り証とレシートとが別々に発行される場合よりも顧客の手間を減らすことができる。
【００６５】
また、顧客自身が実給液情報のレシート発行を不要とした場合には、Ｓ２３において、タッチパネル４９に表示された確認釦８８がオンに操作しないので、レシートの発行が阻止される。この場合、顧客は、釣り銭がある場合には、預り証のみを取って釣り銭機１４に移動し、釣り銭がない場合には、釣り銭機１４に寄らずに退出する。
【００６６】
尚、上記実施の形態では、液晶モニタからなるタッチパネルを設定器に用いた構成を一例として説明したが、これに限らず、例えば、他の形式の設定器を用いた構成でも良い。
【００６７】
また、地上設置型の計量機に取り付けられた構成を一例として挙げたが、これに限らず、懸垂式の給液装置にも適用できるのは勿論である。
【００６８】
また、上記実施の形態では、ガソリンや軽油等の油液を車両の燃料タンクに給液する場合を一例として挙げたが、これに限らず、油液以外の燃料（例えば、燃料電池車で消費される水素、あるいはＬＰＧ車やＣＮＧ車などで燃料として消費されるガス等）を供給するシステムにも適用できるのは勿論である。
【００６９】
【発明の効果】
上述の如く、上記請求項１記載の発明によれば、貨幣を予め入金する入金機と、供給すべき燃料の種類を被供給体への燃料の供給に先立って設定するための設定器と、入金機に入金された入金金額、及び設定器に設定された設定情報に基づき、被供給体に燃料を供給する燃料供給手段と、入金機に入金された入金金額、燃料供給手段により被供給体に供給された燃料の供給量に対応した燃料供給金額、及び釣り銭額を表示する表示手段と、表示手段により表示された給液情報が合っている場合に操作される操作部と、給液終了後に操作部が操作されると、燃料供給手段より供給された燃料の供給量に対応する情報が記載された伝票を発行する伝票発行手段と、を備えたため、燃料供給が終了した時点で表示手段により釣り銭額が表示されて釣り銭の有無をその場で確認でき、釣り銭があるのに釣り銭を受け取らないといった不都合を解消することができる。また、プリセット給液を行っている給液途中において、給液ノズルの液面検知機構により液面検知されて自動閉弁機構が作動した場合には、プリセット値（設定量）が給液されていないので、顧客（運転者）は、釣り銭があることを確認できる。
【００７０】
上記請求項２記載の発明によれば、伝票発行手段が、釣り銭額を除いた情報が記載された伝票を発行するため、釣り銭を受け取っていないのに釣り銭をあたかも受け取り済みであるような給液伝票が発行されないので、伝票を受け取った顧客（運転者）が釣り銭を受け取ったものと勘違いしてしまうようなことを防止できる。
【図面の簡単な説明】
【図１】本発明になる燃料供給装置の一実施例が適用された給液システムの構成図である。
【図２】燃料供給装置１６の正面図である。
【図３】燃料供給装置１６の各機器の構成を示すブロック図である。
【図４】設定器２６のタッチパネル４９に表示される給液開始画面の一例を示す図である。
【図５】設定器２６のタッチパネル４９に表示される給液終了画面の一例を示す図である。
【図６】給液終了後に確認釦８８がオンに操作された場合に発行されるレシートの印字例を示す図である。
【図７】燃料供給装置１６の制御回路６６が実行する制御処理を説明するためのフローチャートである。
【図８】ＰＯＳ本体２０が実行する制御処理を説明するためのフローチャートである。
【図９】釣り銭機１４が実行する制御処理を説明するためのフローチャートである。
【図１０】燃料供給装置１６の制御回路６６が実行する制御処理の変形例を説明するためのフローチャートである。
【符号の説明】
１０  給液システム
１２  給液エリア
１４  釣り銭機
１６（１６１〜１６ｎ）  燃料供給装置
２０  ＰＯＳ本体
２２  記憶装置
２４  計量機
２６  設定器
２８  自動支払機
３０  通信回線
３２１〜３２ｎ  監視カメラ
３４  カメラ分割ユニット
３６  監視モニタ
３８  設定操作部
４９  タッチパネル
５０  人検知センサ
５２  紙幣挿入部
５４  カード挿入部
５６  レシート発行部
６２  ノズル掛け
６０  給液ノズル
６６  制御回路
７０  給液ポンプ
７２  流量計
７８  カードＲ／Ｗ
８０  メモリ
８２  プリンタ
８８  確認釦
９０  レシート
【図１】
2004175392.tif 000003
【図２】
2004175392.tif 000004
【図３】
2004175392.tif 000005
【図４】
2004175392.tif 000006
【図５】
2004175392.tif 000007
【図６】
2004175392.tif 000008
【図７】
2004175392.tif 000009
【図８】
2004175392.tif 000010
【図９】
2004175392.tif 000011
【図１０】
2004175392.tif 000012